(57)【特許請求の範囲】
【請求項１】
円筒空間（５）、及び、円筒空間（５）に開口する穴（１６）を有するステータ（４）と、
前記ステータ（４）の円筒空間（５）に回転可能に設けられ、キー（３）差込用の軸方向に延びる通路（１３）を備えた回転シリンダ（６）と、
前記通路（１３）に開口する、回転シリンダ（６）の軸に対して径方向に延びる穴（１２）にスライド可能に設けられ、前記通路に差し込まれたキー（３）によって整列されることにより、ステータ（４）内で回転シリンダ（６）を回転可能とする位置に位置決めされる多数のロックタンブラー（１１）と、
前記ステータ（４）の穴（１６）に、スライド可能に配設され、所定位置で回転シリンダ（６）にロックタンブラー（１１）の穴（１２）を整列させる多数のカウンタータンブラー（１５）と、
前記ロックタンブラー（１１）を回転シリンダ（６）の軸に対して径方向に付勢する付勢手段（１８，２０，２１）と、を備え、
前記付勢手段の少なくとも１つは磁気的に駆動する磁気駆動付勢手段であり、
前記磁気駆動付勢手段は、前記ステータ（４）の穴（１６）に配置された第１永久磁石（２０）と、前記キー（３）に設けられ、キー（３）が回転シリンダー（６）に差し込まれた状態で、回転シリンダ（６）に第１永久磁石（２０）を吸引する第２永久磁石（２１）とからなり、
前記キー（３）は、平坦駆動部（１４）を備え、
前記軸方向に延びる通路（１３）は、回転シリンダ（６）の穴（１２）の軸を含む平面にほぼ垂直な平面を備えた同様な平坦形状を有し、
前記キー（３）の平坦駆動部（１４）は、ロックタンブラー（１１）の先端が係脱する凹部（１７）を備えた第１面（１４ａ）を有し、
前記各第２永久磁石（２１）は前記第１面（１４ａ）の反対側のほぼ平坦な面（１４ｂ）に形成された凹部（２２）に設けたことを特徴とするシリンダ錠。
【請求項２】
前記第１永久磁石（２０）は、各カウンタータンブラー（１５）と穴（１６）の終端壁（１９）との間で、ステータ（４）の各穴に配設されていることを特徴とする請求項１に記載のシリンダ錠。
【請求項３】
前記第１永久磁石（２０）は、各カウンタータンブラー（１５）と各ロックタンブラー（１１）との間で、ステータ（４）の各穴（１６）に配設されていることを特徴とする請求項１に記載のシリンダ錠。
【請求項４】
前記第２永久磁石（２１）は、回転シリンダ（６）のロックタンブラー（１１）と係合する面とは反対側の面（１４ｂ）で、キー（３）に形成された凹部（２２）に固定されていることを特徴とする請求項１に記載のシリンダ錠。
【請求項５】
前記付勢手段は、前記磁気駆動付勢手段のほかに、各カウンタータンブラー（１５）の穴（１６）に配置されるコイルスプリング（１８）を含み、
前記磁気駆動付勢手段によって付勢されるカウンタータンブラー（１５）は、前記カウンタータンブラー（１８）よりもスライド方向の寸法が長いことを特徴とする請求項１に記載のシリンダ錠。
【請求項６】
前記各ロックタンブラー（１１）は、強磁性体材料からなることを特徴とする前記請求項１から５のいずれか１項に記載のシリンダ錠。
【請求項７】
前記各カウンタータンブラー（１５）は、強磁性体材料からなることを特徴とする前記請求項１から６のいずれか１項に記載のシリンダ錠。
【発明の詳細な説明】
【０００１】
【発明の属する技術分野】
本発明は、磁気的に駆動する付勢手段を備えたシリンダ錠に関するものである。
【０００２】
【従来の技術及び発明が解決しようとする課題】
従来、シリンダ錠では、付勢手段が固定本体の穴内に配置したコイルスプリングで構成されており、各タンブラーに対してカウンタータンブラーを押し付けるために、カウンタータンブラーは回転シリンダの軸に向かって移動可能である。これらの錠では、強盗がキー穴に工具を差し込むと共に、前述のコイルスプリングの付勢に抗して、この工具によってロックタンブラーの先端を押すことにより解錠可能なキーの形状を決定できる。
【０００３】
本発明の目的は、前述のタイプに係る従来の錠に比べて高い安全度を有する新しいタイプのシリンダ錠を提供することにある。
【０００４】
【課題を解決するための手段】
この目的を達成するため、本発明は、
シリンダ錠を、
円筒空間（５）、及び、円筒空間（５）に開口する穴（１６）を有するステータ（４）と、
前記ステータ（４）の円筒空間（５）に回転可能に設けられ、キー（３）差込用の軸方向に延びる通路（１３）を備えた回転シリンダ（６）と、
前記通路（１３）に開口する、回転シリンダ（６）の軸に対して径方向に延びる穴（１２）にスライド可能に設けられ、前記通路に差し込まれたキー（３）によって整列されることにより、ステータ（４）内で回転シリンダ（６）を回転可能とする位置に位置決めされる多数のロックタンブラー（１１）と、
前記ステータ（４）の穴（１６）に、スライド可能に配設され、所定位置で回転シリンダ（６）にタンブラー（１１）の穴（１２）を整列させる多数のカウンタータンブラー（１５）と、
前記タンブラー（１１）を回転シリンダ（６）の軸に対して径方向に付勢する付勢手段（１８，２０，２１）と、を備え、
前記付勢手段の少なくとも１つは磁気的に駆動する磁気駆動付勢手段であり、
前記磁気駆動手段は、前記ステータ（４）の穴（１６）に配置された第１永久磁石（２０）と、前記キー（３）に設けられ、キーが（３）回転シリンダー（６）に差し込まれた状態で、回転シリンダ（６）に第１永久磁石（２０）を吸引する第２永久磁石（２１）とからなり、
前記キー（３）は、平坦駆動部（１４）を備え、
前記軸方向に延びる通路（１３）は、回転シリンダ（６）の穴（１２）の軸を含む平面にほぼ垂直な平面を備えた同様な平坦形状を有し、
前記キー（３）の平坦駆動部（１４）は、ロックタンブラー（１１）の先端が係脱する凹部（１７）を備えた第１面（１４ａ）を有し、
前記各第２永久磁石（２１）は前記第１面（１４ａ）の反対側のほぼ平坦な面（１４ｂ）に形成された凹部（２２）に設けた構成としたものである。
【０００５】
前記磁気駆動付勢手段は、２以上のタンブラー、必要であれば、全てのタンブラーに設けることが可能である。
【０００６】
第１の手法によれば、前記第１永久磁石は、各カウンタータンブラーと穴の終端壁との間で、固定本体の各穴に配設される。代わりに、前記第１永久磁石は、各カウンタータンブラーと各タンブラーとの間で、固定本体の各穴に配設されてもよい。
【０００７】
磁気効率を高めるため、タンブラー及び／又は各カウンタータンブラーは強磁性体材料で構成するのが好ましい。
【０００８】
前記第２永久磁石は、回転シリンダのタンブラーと協働する表面とは反対側の表面で、キーに形成された凹部に固定されている。
【０００９】
前記回転シリンダの少なくとも１つのタンブラーが、各カウンタータンブラーの穴に配設されるコイルスプリングによって構成された従来タイプの付勢手段を有する場合、本発明によれば、磁気的に駆動する付勢手段に連動するカウンタータンブラーは、コイルスプリングの付勢手段に連動するカウンタータンブラーよりも長い。このように、従来タイプの錠は固定本体の結合構造を修正することなく本発明に係る錠に変形させることができる。
【００１０】
前記キーが平坦駆動部を備え、さらにキーのために前述の軸方向に延びる通路が、回転シリンダの放射状穴の軸を含む平面にほぼ垂直な平面を備えた同様な形状を有する場合、前述のキーの駆動部が錠のタンブラーの先端に協働するように適合された空間を備えた第１面と、各第２永久磁石のためのシートが形成される反対側の面とを有する。
【００１１】
【発明の実施の形態】
図１中、参照番号１はシリンダ錠を示し、ドアフレーム２に連結され、キー３と協働するのに適している。
【００１２】
シリンダ錠１は、図２に示すように、シリンダ６が回転可能に設けられる円筒空間５を有するステータ４を備えている。
【００１３】
図示した例の場合、錠のステータ４は平面７に対して対称に配置された２つの本体部（図において、一方のみが視認可能）を有するタイプのものである。本体の図示されていない部位は、図示したものと同一かつ対称である。しかしながら、本発明はどのような形状の固定本体にも適合可能であることはあまりにも明らかである。また、図示された例の場合、２つの本体部はブリッジ状部８によって互いに連結され、そこにはステータ４を錠支持構造２に固定するために、ネジ（図示せず）の螺合用の貫通孔９が形成されている。構造の詳細は、いかなる公知の方法でも形成でき、本発明とは関係ないため、ここでは示していない。同じ構造がシリンダ６に設けた回転爪にも適用されており、それはブリッジ状部８によって形成される２つの本体の部位間の間隙１０を占有する。
【００１４】
従来技術によれば、回転シリンダ６には多数のロックタンブラー１１が設けられ、それらはシリンダ６内に形成された放射状の穴１２にスライド可能に配設され、回転シリンダ６に形成された軸に向かう通路１３で開口し、キーの駆動部１４を受け止めるのに適している。図１に示すように、ここに記載された例の場合、キー３の駆動部１４は、矩形断面を有する略平坦形状であり、通路１３は、ロックタンブラー１１の軸を含む平面にほぼ垂直な平面を有する同様な形状を備える。
【００１５】
参照番号１５は、固定本体に形成され、錠の円筒空間５に開口する穴１６にスライド可能に設けられる、従来例に係る多数のカウンタータンブラーを示す。穴１６は、後半の所定傾斜位置で回転シリンダ６の放射状の穴１２に対して同一直線上に位置する。
【００１６】
キーを受け入れるためにある通路１３に面するロックタンブラー１１の先端は、キー３の駆動部１４の第１面１４ａに形成された空間１７と協働するために存在するので、この駆動部１４が完全に通路１３の内部に受け入れられるとき、ロックタンブラー１１はステータ４の空間５の内部に回転シリンダ６の自由な回転を妨げない軸に向かう位置にそれぞれ移動される。
【００１７】
また、図示した例の場合、錠の全ロックタンブラー１１は、１つを除き、コイルスプリング１８によって回転シリンダの軸に向かって放射状に付勢されている。コイルスプリング１８は、穴の終端壁を制限するカウンタータンブラー１５と閉鎖要素１９の間の各穴１６に挿入される。しかしながら、本発明において、ロックタンブラー１１の１つはコイルスプリングの動作の支配を受けない。この場合、各カウンタータンブラー１５（他のカウンタータンブラー１５よりも長い）と閉鎖要素１９の間に、第１永久磁石２０が円盤状で挿入され、第２永久磁石２１は空間１７を有する面１４ａとは反対側で、キー３の駆動部１４の面１４ｂに形成された凹部２２に固定されているので、キー３が通路１３に受け入れられるとき、第２永久磁石２１が第１永久磁石２０を引き付ける結果、第１永久磁石２０に吸引されるカウンタータンブラー１５及びロックタンブラー１１はキーに付勢される。磁石の効率を高めるため、第１永久磁石２０に吸引されるロックタンブラー１１及びカウンタータンブラー１５は強磁性体材料で構成されているのが好ましい。
【００１８】
添付の図３は、第２永久磁石２１によって引き付けられ、ロックタンブラー１１をキーに対して吸引状態に維持する第１永久磁石２０を備えたキーが差し込まれたときの錠の状態を示す。キーが抜かれると、第１永久磁石２０に吸引されたロックタンブラー１１は最早通路１３には付勢されないので、各穴１６に移動自在となる。それで、強盗が通路１３内に工具を差し込んだとしても、後半部がどのようなスプリングによっても付勢されていないため、この工具を前述のタンブラーに押し付けることはできない。このため、本発明に係る錠は周知の錠に比べてより高い安全度を有する。
【００１９】
図４は、第１永久磁石２０が各ロックタンブラー１１と各カウンタータンブラー１５の間に挿入された変形例を示す。
【００２０】
当然、付勢するスプリング１８を第１永久磁石２０に置き換えることや、協働する第２永久磁石２１を、錠の１以上のタンブラー、必要であれば、すべての錠のタンブラーのためにキーに設けることも可能である。
【００２１】
さらに、本発明の原理が変更されない限り、構造及び実施形態の詳細は単に例によって記載及び図示されたものについて広く変形してもよい。
【００２２】
例えば、第２永久磁石２１をキーに設けるよりもむしろ、この第２永久磁石２１を第１永久磁石２０に隣接する穴１６に、ロックタンブラー１１に作用する力を引き起こす２つの第１，第２永久磁石２０，２１の間の反発を得るために、反対の極性で設けてもよい。この手法は、図３の場合及び図４の場合の両方に適用してもよい。
【００２３】
【発明の効果】
以上の説明から明らかなように、キーが錠に差し込まれていないとき、第１永久磁石は回転シリンダの軸方向に付勢されていない。その結果、権限のない人が工具をキーの軸方向に延びる通路に差し込んで、解錠可能なキー形状を決定するために前述のタンブラーの先端にこの工具を押し付けることは不可能である。したがって、本発明に係る錠は周知の錠に比べてより高い安全度を有する。
【図面の簡単な説明】
【図１】  連携するキーを備えた本発明に係る錠の概略斜視図である。
【図２】  図１のII−II線断面図である。
【図３】  図２の異なる操作状態に於ける断面図を示す。
【図４】  図２の変形例を示す。
【符号の説明】
６…回転シリンダ
１１…ロックタンブラー
１５…カウンタータンブラー
２０…第１永久磁石
２１…第２永久磁石
【図１】
0004671472.tif 000002
【図２】
0004671472.tif 000003
【図３】
0004671472.tif 000004
【図４】
0004671472.tif 000005